(57)【要約】【課題】固形剤が通過する経路に指が触れることなく、固形剤を一粒ずつ取り出せ、しかも製造が容易な中栓を提供する。【解決手段】短円筒体２の上端に、外向きの止めフランジ３を、また短円筒体２の内側に内向きの内フランジ４ｂを形成する。この内フランジ４ｂと一体にその内周に沿って屈伸自在な弁体４を４片設け、これら弁体４と弁体４の境界に、固形剤１０の外径より狭いスリット６を十字状に形成し、これら弁体４を短円筒体の中心に向けて内側に傾斜して、弁体４の内側に円錐形の固形剤導出部４ｃを形成すると共に、これら三角形の弁体４の４つの頂点により固形剤１０の外径より小さい固形剤取出し口４ｄを形成する。そして、上記スリット６の上方に位置して短円筒体２の直径方向に配列した２本の帯状の操作片５の基端を短円筒体２に接続し、その他端を、隣り合う２片の弁体４の頂点にそれぞれ接続する。【選択図】図１
2011148509.tif 000002
【特許請求の範囲】
【請求項１】
薬瓶の口に嵌め入れる短円筒体の上端に、外向きの止めフランジを、また止めフランジより低い位置の短円筒体の内側に、内向きの内フランジを、それぞれ形成し、
さらに、この内フランジと一体にその内周に沿って三角形で屈伸自在な弁体を４片設け、これら弁体と弁体の境界に、固形剤の外径より狭いスリットを十字状に形成し、
そして、これら弁体を短円筒体の中心に向けて内側に傾斜して、弁体の内側に円錐形の固形剤導出部を形成すると共に、これら三角形の弁体の４つの頂点により固形剤の外径より小さい固形剤取出し口を形成し、
そして、上記スリットの上方に位置して短円筒体の直径方向に配列した２本の帯状の操作片の基端を短円筒体に接続し、その他端を、隣り合う２片の弁体の頂点にそれぞれ接続し、
これら操作片を下押しすることにより２片の弁体を同時に短円筒体の中心より離れる方向に反曲して上記固形剤取出し口を固形剤の径より大きく拡大することを特徴とする固形剤取り出し用中栓。
【請求項２】
薬瓶の口に嵌め入れる短円筒体の上端に、外向きの止めフランジを、また止めフランジより低い位置の短円筒体の内側に、内向きの内フランジを、それぞれ形成し、
さらに、この内フランジと一体にその内周に沿って三角形で屈伸自在な弁体を２片設けると共に、弁体と対向する位置に内フランジと一体にその内周に沿って台形状突起を１片設け、これら弁体と弁体及び弁体と台形状突起との境界に、固形剤の外径より狭いスリットをＴ字状に形成し、
そして、これら弁体及び台形状突起を短円筒体の中心に向けて内側に傾斜して、弁体及び台形状突起の内側に円錐形の固形剤導出部を形成すると共に、これら弁体の頂点及び台形状突起の上辺により固形剤の外径より小さい固形剤取出し口を形成し、
そして、上記スリットの上方に位置して短円筒体の直径方向に配列した１本の帯状の操作片の基端を短円筒体に接続し、その他端を、隣り合う２片の弁体の頂点に接続し、
操作片を下押しすることにより２片の弁体を同時に短円筒体の中心より離れる方向に反曲して上記固形剤取出し口を固形剤の径より大きく拡大することを特徴とする固形剤取り出し用中栓。
【請求項３】
操作片の表面に指掛け用突起を取り付け、裏面には指掛け用突起を取り付けた位置に相対する位置から前記弁体の頂点近傍に至る補強材を取り付けることを特徴とする請求項１又は２に記載の固形剤取り出し用中栓。
【発明の詳細な説明】
【技術分野】
【０００１】
本発明は、固形剤（錠剤及びカプセル剤）を及びカプセル（以下「錠剤型という」）になった薬剤やサプリメントなどの薬剤及び食品（以下「薬剤等」という）を、薬瓶から一錠粒ずつ取り出せるようにした中栓に関する。
【背景技術】
【０００２】
薬瓶から従来、固形剤を取り出す際、多すぎれば余分な固形剤を戻すが、そのとき手で摘むと固形剤に雑菌が付いて衛生的でない。このことから型薬剤等をバラで収容した容器では、所定数量の薬剤等を取り出す際に、多めに取り出して、所定数量より多いものを手で摘んで容器内に戻している。よって、手で摘む際に薬剤等に雑菌が付着し不衛生である。
これを改良し、一錠粒ずつ正しく取り出せるようにした中栓が提案されている（特許文献１，２）。
ところがしかし、特許文献１の中栓は、外筒２と可撓性内蓋の２つの部材が必要であり、部品点数が多く製造や組立が繁雑であるという問題がある。。また、特許文献２の中栓は、製造が簡便であるが、錠剤に触れることなく嘴状の先端部７を拡開する手段がなく、薬剤等を取り出す際に嘴状の先端部７に薬剤等が引っ掛かり傷付いたり、固形剤を摘み出す際に先端部７に指が触れ易く、先端部７に雑菌が付着しやすいという問題がある。
【先行技術文献】
【特許文献】
【０００３】
【特許文献１】実公昭４４−４０００号公報
【特許文献２】特開平１１−１４７５５４号公報
【発明の概要】
【発明が解決しようとする課題】
【０００４】
本発明が解決しようとする課題は、固形剤（錠剤及びカプセル剤）が通過する経路に指が触れることなく、固形剤を一粒ずつ取り出せ、しかも製造が容易な中栓を提供することである。
【課題を解決するための手段】
【０００５】
請求項１の発明は、薬瓶の口に嵌め入れる短円筒体の上端に、外向きの止めフランジを、また止めフランジより低い位置の短円筒体の内側に、内向きの内フランジを、それぞれ形成し、
さらに、この内フランジと一体にその内周に沿って三角形で屈伸自在な弁体を４片設け、これら弁体と弁体の境界に、固形剤の外径より狭いスリットを十字状に形成し、
そして、これら弁体を短円筒体の中心に向けて内側に傾斜して、弁体の内側に円錐形の固形剤導出部を形成すると共に、これら三角形の弁体の４つの頂点により固形剤の外径より小さい固形剤取出し口を形成し、
そして、上記スリットの上方に位置して短円筒体の直径方向に配列した２本の帯状の操作片の基端を短円筒体に接続し、その他端を、隣り合う２片の弁体の頂点にそれぞれ接続し、
これら操作片を下押しすることにより２片の弁体を同時に短円筒体の中心より離れる方向に反曲して上記固形剤取出し口を固形剤の径より大きく拡大することを特徴とする。
請求項２の発明は、薬瓶の口に嵌め入れる短円筒体の上端に、外向きの止めフランジを、また止めフランジより低い位置の短円筒体の内側に、内向きの内フランジを、それぞれ形成し、
さらに、この内フランジと一体にその内周に沿って三角形で屈伸自在な弁体を２片設けると共に、弁体と対向する位置に内フランジと一体にその内周に沿って台形状突起を１片設け、これら弁体と弁体及び弁体と台形状突起との境界に、固形剤の外径より狭いスリットをＴ字状に形成し、
そして、これら弁体及び台形状突起を短円筒体の中心に向けて内側に傾斜して、弁体及び台形状突起の内側に円錐形の固形剤導出部を形成すると共に、これら弁体の頂点及び台形状突起の上辺により固形剤の外径より小さい固形剤取出し口を形成し、
そして、上記スリットの上方に位置して短円筒体の直径方向に配列した１本の帯状の操作片の基端を短円筒体に接続し、その他端を、隣り合う２片の弁体の頂点に接続し、
操作片を下押しすることにより２片の弁体を同時に短円筒体の中心より離れる方向に反曲して上記固形剤取出し口を固形剤の径より大きく拡大することを特徴とする。
請求項３の発明は、操作片の表面に指掛け用突起を取り付け、裏面には指掛け用突起を取り付けた位置に相対する位置から前記弁体の頂点近傍に至る補強材を取り付けることを特徴とする。
【０００６】
上記の固形剤は、錠剤及びカプセルである。また、上記固形剤の外径は固形剤の径で最小のものをいう。
薬瓶には、薬やサプリメント、錠剤状及びカプセル状の食品を収容する。
【発明の効果】
【０００７】
請求項１の発明では、固形剤の外径より小さい固形剤取出し口を形成するので、蓋を外し薬瓶を反転させても固形剤が排出されない。また、弁体の内側に円錐形の固形剤導出部を形成されるので、固形剤導出部で固形剤が１錠ずつに配列される。そして、操作片を下押しすることにより固形剤取出し口を固形剤の径より大きく拡大することができるので、固形剤が１錠ずつ排出できる。また、固形剤取出し口に触れることなく、固形剤を取り出せるので、衛生的である。また、ワンショットで成形できる構成であるので、製造が容易である。
請求項２の発明では、上記効果に加え、弁体が２片で操作片が１本であるので、製造が一層容易であるという効果を有する。
請求項３の発明では、操作片の表面に指掛け用突起を取り付けるので、指で押しやすい。また、この指掛け用突起で押すことにより、操作片の補強材を取り付けてない箇所が変形し、固形剤取出し口が円滑に拡開する。
【図面の簡単な説明】
【０００８】
【図１】固形剤取り出し用中栓の正面図である。
【図２】固形剤取り出し用中栓の平面図である。
【図３】図１の縦断面図である。
【図４】中栓から固形剤を排出させる作用を説明する図であり、（ａ）は固形剤排出前の、（ｂ）は固形剤排出後の図である。
【図５】蓋を閉めた状態での蓋と中栓との位置を示す図である。
【図６】別の実施形態になる固形剤取り出し用中栓の縦断面図である。
【図７】図６の固形剤取り出し用中栓の平面図である。
【発明を実施するための形態】
【０００９】
以下、本発明に係る固形剤取り出し用中栓の実施形態について図を参照して説明する。
図１は中栓の正面図、図２は中栓の平面図、図３は図１の縦断面図、図４は中栓から固形剤を排出させる作用を説明する図である。
１は中栓であり、その構成は以下のとおりである。
２は上下が開放した短円筒体であり、外径が薬瓶８の口９の径と同じであり、上部に外向きの止めフランジ３を形成する。また、この止めフランジ３より低い位置の短円筒体２の内側に、内向きの内フランジ４ｂを形成する。
さらに、この内フランジと一体にその内周に沿って三角形で屈伸自在な弁体４を４片設け、これら弁体４と弁体４の境界に、固形剤１０の外径より狭いスリット６を十字状に形成する。そして、これら弁体４を短円筒体２の中心に向けて内側に傾斜して、弁体４の内側に円錐形の固形剤導出部４ｃを形成すると共に、これら三角形の弁体４の４つの頂点４ａにより固形剤１０の外径より小さい固形剤取出し口４ｄを形成する。
なお、固形剤１０の外径は、球形であれば同じであるが、ラグビーボール状などの場合では長径、短径などがある。上記固形剤１０の外径は固形剤１０の径で最小のものをいう。
頂点４ａは、短円筒体２の上面部より高くても、また短円筒体２の上面部の高さ以下であってもよい。
そして、上記スリット６の上方に位置して短円筒体２の直径方向に配列した２本の帯状の操作片５の基端を短円筒体２に接続し、その他端を、隣り合う２片の弁体の頂点４ａにそれぞれ接続する。この操作片５の裏面には、中央部から他端に至り補強材７を固着する。
以上の構成の中栓１は、ポリエチレン、ポリプロピレンなどの柔軟なプラスチック製であり、ワンショットで成形可能である。
【００１０】
薬瓶８より固形剤１０を取り出す際には、薬瓶８の口９を下又は斜め下に向けた後（図４（ａ））、少なくもいずれか一方の操作片５を押す。固形剤取出し口４ｄが拡開し、固形剤１０（カプセル）が一粒ずつ排出される（図４（ｂ））。
この際に、弁体４の頂点４ａが短円筒体２の上面部より高いと、固形剤導出部４ｃが長く、固形剤１０が一粒ずつ円滑に配列される。また、弁体４の頂点４ａが短円筒体２の上面部以下であると、薬瓶の蓋１２の上面と中栓１との間隔が狭いものにも使用できる（図５）。
【００１１】
次に、別の実施形態の固形剤取り出し用中栓について図を参照して説明する。
この実施形態の中栓は上記実施形態と異なり、弁体４が２片であり、これと対向する位置に台形状突起を１片設けることである（図６、図７）。
すなわち、中栓１の構成は以下のとおりである。
外径が薬瓶８の口９の径と同じで、上下が開放した短円筒体２の部に外向きの止めフランジ３を形成する。また、この止めフランジ３より低い位置の短円筒体２の内側に、内向きの内フランジ４ｂを形成する。
さらに、この内フランジと一体にその内周に沿って三角形で屈伸自在な弁体４を２片設ると共に、弁体２と対向する位置に内フランジと一体にその内周に沿って台形状突起１３を１片設ける。これら弁体４と弁体４及び弁体４と台形状突起１３の境界に、固形剤１０の外径より狭いスリット６をＴ字状に形成する。
そして、これら弁体４及び台形状突起１３を短円筒体２の中心に向けて内側に傾斜して、弁体４及び台形状突起１３の内側に円錐形の固形剤導出部４ｃを形成すると共に、これら弁体４及び台形状突起１３の頂点４ａ及び上辺１３ａにより固形剤の外径より小さい固形剤取出し口４ｄを形成する。
そして、上記スリット６の上方に位置して短円筒体２の直径方向に配列した１本の帯状の操作片５の基端を短円筒体２に接続し、その他端を、隣り合う２片の弁体の頂点４ａに接続する。この操作片５の表面の中央部には、指掛け用突起１１を取り付ける。また、裏面には指掛け用突起を取り付けた位置に相対する位置から前記弁体の頂点４ａ近傍に至り補強材７を取り付ける。
薬瓶８より固形剤１０を取り出す際には、薬瓶８の口９を下又は斜め下に向けた後、指掛け用突起１１に指をかけて、操作片５を押す。操作片５の補強材を取り付けてない箇所（基端から中央）が変形し、固形剤取出し口４ｄが円滑に拡開する。
この実施形態の中栓１は、前記実施形態と比較し、弁体４が２片で操作片５が１本であるので、製造が容易である。
【００１２】
上記各実施形態では、操作片５の裏面に補強材７を取り付けているが、設けなくてもよい。ただし、補強材７を所定位置に設けることにより、操作片がむやみに曲がらず、固形剤取出し口が円滑に拡開する。
【符号の説明】
【００１３】
１    中栓
２    短円筒体
３    外向きの止めフランジ
４    弁体
４ｂ  内フランジ
４ｃ  固形剤導出部
４ｄ  固形剤取出し口
５    操作片
６    スリット
８    薬瓶
１０    固形剤
【図１】
2011148509.tif 000003
【図２】
2011148509.tif 000004
【図３】
2011148509.tif 000005
【図４】
2011148509.tif 000006
【図５】
2011148509.tif 000007
【図６】
2011148509.tif 000008
【図７】
2011148509.tif 000009